(57)【要約】【課題】自動車のナンバープレート等の標板等の表示内容を、出荷される形態で画像処理技術によって確実に検査すること。【解決手段】予め設定された生産データを基に、検査対象の標板を一連の撮像工程によって撮像し、画像処理を用いた判定工程によって、前記検査対象の標板が前記生産データにて指示されたものであることを照合して確認するともに、照合の結果生成された標板データを用いて管理用データを生成する標板検査方法である。具体的には、外部から収納物を撮像可能な構造の収納袋に、複数枚の標板の表面の文字や図形を同時に撮像可能な状態に収納する収納工程と、前記複数枚の標板の表面の文字や図形を同時に撮像する撮像工程と、撮像された画像を解析して、前記複数枚の標板に、それぞれ所定の文字や図形が標示されているか否かを判定する判定工程とを含んでいる。【選択図】図１
2010139472.tif 000002
【特許請求の範囲】
【請求項１】
予め設定された生産データを基に、検査対象の標板を一連の撮像工程によって撮像し、画像処理を用いた判定工程によって、前記検査対象の標板が前記生産データにて指示されたものであることを照合して確認するともに、照合の結果生成された標板データを用いて管理用データを生成することを特徴とする標板検査方法。
【請求項２】
外部から収納物を撮像可能な構造の収納袋に、
複数枚の標板の表面の文字や図形を同時に撮像可能な状態に収納する収納工程と、
前記複数枚の標板の表面の文字や図形を同時に撮像する撮像工程と、
撮像された画像を解析して、前記複数枚の標板に、それぞれ所定の文字や図形が標示されているか否かを判定する判定工程と
を含んでいることを特徴とする請求項１に記載の標板検査方法。
【請求項３】
前記収納袋は、透明な収納袋であり、
前記収納工程では、前記収納袋に、２枚の標板を背中合わせにして収納することによって、２枚の標板の表面の文字や図形を、表側と裏側から同時に撮像可能な状態に収納することを
特徴とする請求項１乃至２に記載の標板検査方法。
【請求項４】
前記撮像工程では、
前記収納袋に背中合わせにして収納された２枚の標板の表面の文字や図形を、表側に設けた撮像手段と裏側に設けた撮像手段によって同時に撮像することを
特徴とする請求項３に記載の標板検査方法。
【請求項５】
請求項１乃至４の標板検査方法における判定工程において、２枚の標板の表面の文字や図形が、互いに同じ内容であると判定された２枚１組を、前記透明袋に入れたままの状態で出荷する出荷工程を含んでいることを特徴とする標板検査方法。
【請求項６】
それぞれの表面に文字や図形が標示された２枚１組の標板を、透明袋に背中合わせにして収納した状態で、前記２枚の標板の表面の文字や図形を撮像する撮像装置であって、
前記透明袋に背中合わせにして収納した状態の２枚１組の標板を支持する支持手段と、
前記支持手段によって支持された２枚１組の標板の一方の標板の表面と他方の標板の表面を所定の明るさに照明する照明手段と、
前記支持手段によって支持された２枚１組の標板の一方の標板の表面を撮像する第１撮像手段と、
他方の標板の表面を撮像する第２撮像手段と
を備えていることを特徴とする撮像装置。
【発明の詳細な説明】
【技術分野】
【０００１】
本発明は、自動車の前後に取り付けるナンバープレート等のように、表側に所定の文字や図形が標示された例えば２枚１組の標板等の検査に関するものである。
【背景技術】
【０００２】
従来より、自動車の前後に取り付けるナンバープレートは主に２枚１組で製造されて、各地の標板交付代行者に出荷されている。出荷に際しては、同じ文字や図形が標示された主に２枚１組の標板は、それぞれ印刷汚れが無いか、傷が無いか、変形が無いか、表示に間違いは無いかなどの製品検査が行われている。出願人の場合は、汚れや傷を防止するために、標板を袋に収納してから出荷している。
【発明の開示】
【発明が解決しようとする課題】
【０００３】
２枚１組の標板は、それぞれ単体では、印刷汚れや、傷や、変形が無いことが確認されたものであっても、最終段階で袋に収納する場合に、同じ文字や図形の標板が２枚１組で、間違いなくひとつの袋に収納されているか否かの検査は、目視で検査されていたので、１文字違いなどの検査漏れを完全には防止できなかった。
一旦出荷された２枚１組の標板が標板交付代行者の窓口で交付され、自動車の前後の所定の位置に取り付けられた後では、自動車の前後を同時に見渡すことはできないため、１文字違いなどの検査漏れを発見することが困難であった。
したがって、出荷時点において、生産データに基づいて２枚の標板の標示内容が同じ文字もしくは図形であるように製作されていることを確実に検査し、記録にも残しておくことが望まれていた。
【０００４】
そこで、本発明は、出荷される形態である袋に収納された状態で、主に２枚１組で形成される標板の標示内容を撮像して画像処理技術によって確実に検査し、記録に残すことを目的としてなされたものである。
【課題を解決するための手段】
【０００５】
本発明にかかる請求項１の検査方法は、
予め設定された生産データを基に、検査対象の標板を一連の撮像工程によって撮像し、画像処理を用いた判定工程によって、前記検査対象の標板が前記生産データにて指示されたものであることを照合して確認するともに、照合の結果生成された標板データを用いて管理用データを生成することを特徴としている。
請求項２の発明では、
外部から収納物を撮像可能な構造の収納袋に、
複数枚の標板の表面の文字や図形を同時に撮像可能な状態に収納する収納工程と、
前記複数枚の標板の表面の文字や図形を同時に撮像する撮像工程と、
撮像された画像を解析して、前記複数枚の標板に、それぞれ所定の文字や図形が標示されているか否かを判定する判定工程と
を含んでいる。
検査対象の標板は、現在のところ２枚１組もしくは１枚であるが、複数枚１組であってもよい。
また、複数枚１組の標板の標示内容は、現在のところ同一であるが、生産データで指示された内容であれば合格と判定する。
請求項３の発明では、
前記収納袋は、透明な収納袋であり、
前記収納工程では、前記収納袋に、２枚の標板を背中合わせにして収納することによって、２枚の標板の表面の文字や図形を、表側と裏側から同時に撮像可能な状態に収納することを特徴としている。
請求項４の発明は、
前記撮像工程では、
前記収納袋に背中合わせにして収納された２枚の標板の表面の文字や図形を、表側に設けた撮像手段と裏側に設けた撮像手段によって同時に撮像する。
なお、「同時に撮像する」とは、時間的に多少前後してもよいことは当然である。
請求項５の発明は、
請求項１乃至４の標板検査方法における判定工程において、２枚の標板の表面の文字や図形が、互いに同じ内容であると判定された２枚１組を、前記透明袋に入れたままの状態で出荷する出荷工程を含んでいる。
したがって、判定結果が合格になったものだけが、そのまま収納袋に収納されたままの状態で出荷される。
請求項６にかかる撮像装置は、
それぞれの表面に文字や図形が標示された２枚１組の標板を、透明袋に背中合わせにして収納した状態で、前記２枚の標板の表面の文字や図形を撮像する撮像装置であって、
前記透明袋に背中合わせにして収納した状態の２枚１組の標板を支持する支持手段と、
前記支持手段によって支持された２枚１組の標板の一方の標板の表面と他方の標板の表面を所定の明るさに照明する照明手段と、
前記支持手段によって支持された２枚１組の標板の一方の標板の表面を撮像する第１撮像手段と、
他方の標板の表面を撮像する第２撮像手段と
を備えている。
【発明の効果】
【０００６】
本発明の請求項１〜５にかかる検査方法によれば、
収納袋に収納した状態の１組の標板のそれぞれの面を同時に撮像して、それぞれ所定の文字や図形が標示されているか否かを検査するので、従来の目視検査に比べて、検査精度が均一化し、かつ検査精度が格段に向上する。また、収納した状態で検査するので、検査合格したものは収納した状態でそのまま出荷することができ、検査後に傷等がついてしまったり、途中で入れ代わったりする問題を防止することができる。
したがって、一連の検査工程を経て生成された標板データ等（データ、バーコード、ＱＲコードなど）を用いて、納入先における標板管理業務及び標板交付業務に活用することができるのである。
請求項６にかかる撮像装置によれば、２枚１組の標板を、透明袋に背中合わせにして収納した状態で撮像するので、上記検査装置における効果が得られる撮像装置を省スペースで実現することができる。
【発明を実施するための最良の形態】
【０００７】
以下に、本発明にかかる検査方法を、その実施の形態を示した図面に基づいて詳細に説明する。
【０００８】
図１は、本発明に係る検査方法を採用したナンバープレート生産・検査システムの全体を説明する工程図である。
図１において、
工程Ａは、プレス工程であり、例えば、ナンバープレートとしての所定寸法に裁断された無地のカラーアルミ製の板（ブランキング材）に、所定の文字や図形等をプレス加工して半製品の板を形成する工程である。この工程で必要な加工データは、サーバコンピュータから出力されるか、もしくは、別途作成された生産データ等を、記録媒体を介して入力する。この状態では、前記板には保護シートが貼られている。
工程Ｂは、塗装工程であり、保護シート剥離装置を用いて、前記板に貼られている保護シートを剥がした後、プレスされた部分を所定の色で塗装し、乾燥炉で加熱乾燥させる。なお、乾燥炉に投入する前に、人間の目による目視検査を行って、欠陥の見られないものだけを乾燥炉に投入する。
【０００９】
工程Ｃは、収納工程であり、前記工程Ｂを終了して出来上がったナンバープレートを、同じ文字・図形の２枚を背中合わせにセットにして、出荷用の透明袋に収納する。このとき、人間の目による目視検査を行って、欠陥の見られないものだけを袋に入れる。
背中合わせとは、２枚のナンバープレートの裏面どうしを向かい合わせにして、文字や図形が標示されている面が、上面と下面にくるようにセットした状態である。
【００１０】
工程Ｄは、撮像工程Ｄ１と判定工程Ｄ２とからなる検査工程であり、
前記工程Ｃで、透明袋に収納された２枚１組のナンバープレートを、撮像工程Ｄ１で撮像して、判定工程Ｄ２で所定の文字や図形が標示されているか否かを検査して、合否を判定する。
前記撮像工程Ｄ１では、
前記透明袋に背中合わせにして収納した状態の２枚１組のナンバープレートを水平のガラス板等の支持手段に載せて支持した状態で、
上方に設けた第１照明手段と、下方に設けた第２照明手段を用いて、前記透明袋に収納された２枚１組のナンバープレートの上下両面を明るく照らして、
上方に設けた第１撮像手段（ＣＣＤカメラなど）で上側のナンバープレートの標示内容を撮像し、下方に設けた第２撮像手段（ＣＣＤカメラなど）で下側のナンバープレートの標示内容を撮像する。
【００１１】
前記判定工程Ｄ２では、
照合判定用の画像処理装置においては、前記第１撮像手段で撮像した上側のナンバープレートの標示内容と、前記第２撮像手段で撮像した下側のナンバープレートの標示内容は、予めサーバに入力された生産データと照合され、同じ標示内容であるか否かを判定し、同じでない場合には不合格としてディスプレイの画面に表示し、同じである場合には、照合検査に合格としてディスプレイの画面に表示し、シーラーラベラーに合格情報を出力する。また、照合検査に合格した情報は納品データとしてサーバに蓄積される。
シーラーラベラーでは、前記合格情報に基づいてラベルデータを生成してバーコードやＱＲコードをラベルに印刷し、シール作業用の台に、合格した前記２枚１組、もしくは１枚のナンバープレートが収納された透明袋をセットして、シールスイッチを足で操作すると、前記袋の開口部が自動的にシールされるとともに、収納された２枚１組のナンバープレートに対応したラベルが自動的に貼付される。ここでも、ディスプレイの画面に標示されたラベルデータと、収納されたナンバープレートの標示内容とを目視照合する。
【００１２】
工程Ｅは、梱包出荷工程であり、
前記工程Ｄで検査合格と判定された２枚１組、もしくは１枚のナンバープレートは、透明袋に収納された状態で箱詰めされて、順次出荷される。
【００１３】
前記サーバは、この検査システムの基幹部であり、生産予定データの入力や、希望番号・再交付番号の生産データ登録、撮像工程や判定工程から出力される撮像データや判定結果データの保存などを行う。このサーバは、各工程へ生産データを出力するとともに、納品データも出力する。
また、制作したナンバープレートの検査や抜け番号の設定、ソート指示、各種マスタ管理などを行う。
【００１４】
以上の検査システムにおいては、２枚のナンバープレートに同じ文字や図形が規定どおりに表示されているか否かを、裏表同時に撮像して検査・判定する場合を説明したが、２枚１組のナンバープレートを背中合わせではなく、横に並べて袋に収納し、１つの撮像手段で２枚の標示内容を撮像して、検査・判定するように構成することも可能である。
また、３枚１組で同じ内容のナンバープレートを検査する場合には、３枚のナンバープレートを袋や箱等の収納手段に収納した状態で、３枚のナンバープレートの標示内容を同時に撮像して検査・判定するように構成することも可能である。
いずれの場合においても、収納手段に収納した状態で検査・判定した後のナンバープレートは、照合結果が合格したものだけ、収納した状態のままで出荷するので、検査・判定した結果が合格であれば、その後に入れ代わったりすることがなく、高い品質の状態で出荷することが可能となるのである。
また、納品データを、納入先の交付管理システムに連動させることにより、標板交付代行者における管理に供することができる。
【実施例１】
【００１５】
図２は、実施例１に係る撮像装置Ｔの斜視図である。
図２に示したように、
縦長の四角柱状のフレーム１の内壁１１は、塗装などによって艶消しの白色で光を拡散させやすいように構成されており、
前記フレーム１の中段に、透明ガラス板２１を用いた水平の支持手段２が形成されている。
この支持手段２の中央部分に形成された窓部分に前記透明ガラス板２１が配設され、前記透明ガラス板２１には、撮像対象のナンバープレートの形状・大きさに対応した撮像範囲を規定する枠２２が着脱可能に配設されている。また、前記透明ガラス板２１の奥と両サイドには、撮像対象のナンバープレートの形状・大きさに対応したガイド２３が配設されている。前記枠２２を交換しやすいように、前記支持手段２は凹部が形成されている。
【００１６】
前記フレーム１の天井の中央部分には、第１撮像手段としてのＣＣＤカメラ３１が光軸を下方の前記透明ガラス板２１の上面の中央に向けて配設されている。
さらに、前記ＣＣＤカメラ３１の横には、間接照明による第１照明手段４１が、前記透明ガラス板２１の上面およびその周囲を均一に照らすように配設されている。
【００１７】
前記フレーム１の底の中央部分には、第２撮像手段としてのＣＣＤカメラ３２が光軸を上方の前記透明ガラス板２１の下面の中央に向けて配設されている。
さらに、前記ＣＣＤカメラ３２の横には、間接照明による第２照明手段４２が、前記透明ガラス板２１の下面およびその周囲を均一に照らすように配設されている。
【００１８】
なお、前記フレーム１の上部の正面は開口しており、撮像対象のナンバープレートを出し入れしやすいように構成されている。
前記フレーム１の下部の正面には、メンテナンス用に開閉式の扉が備えられている。
【００１９】
２枚１組のナンバープレートが収納された透明袋を、作業者が前記枠２２に合わせてセットした後、撮像スイッチを操作すると、上下２台のＣＣＤカメラ３１、３２によって、上側のナンバープレートの標示内容と、下側のナンバープレートの標示内容とがほぼ同時に撮像されて、照合判定用の画像処理装置に入力されて、生産データと照合して合否が判定出力される。
【００２０】
なお、図２に示した撮像装置は、水平にセットした２枚１組のナンバープレートを、上下２方向に設置した２台の撮像手段で撮像する形態であるが、垂直にセットした２枚１組のナンバープレートを、左右２方向に設置した２台の撮像手段で撮像する形態も可能である。さらには、図３に示したように、１台の撮像手段30と２枚の鏡Ｍを用いて、２枚１組のナンバープレートＰの両面を撮像するように構成することも可能である。
また、検査すべきナンバープレートの標示内容としては、文字（数字を含む）や図形に限らず、色彩やナンバープレートの形状なども撮像して検査することが可能である。
【００２１】
図４は、前記工程Ｂ（塗装工程）において用いる保護シート剥離装置５の要部構造を示した説明図である。図４において、保護シートＳが貼付された状態の標板Ｐが搬送されてくると、図４の（ａ）に示したように、保護シート剥離装置５に備えられた回転ブラシ５１によって、前記標板Ｐの縁がかき上げられるので、保護シートＳの縁が前記標板Ｐから引き剥がされて浮き上がる。その後、図４の（ｂ）に示したように、クランプ機構５２が、浮き上がった保護シートＳの縁をつまんで移動することによって、保護シートＳの全体が前記標板Ｐから引き剥がされるように構成されている。
【産業上の利用可能性】
【００２２】
本発明の検査方法および撮像装置は、自動車用のナンバープレートに限らず、種々の標示板の検査に利用可能である。
【図面の簡単な説明】
【００２３】
【図１】本発明にかかる検査方法の実施の形態の構成を示した構成図である。
【図２】本発明にかかる撮像装置の実施例１の斜視図である。
【図３】別形態の撮像装置の構成図である。
【図４】保護シート剥離装置の説明図である。
【符号の説明】
【００２４】
１  フレーム
２  支持手段
２１  透明ガラス板
３１  第１撮像手段
３２  第２撮像手段
４１  第１照明手段
４２  第２照明手段
【図１】
2010139472.tif 000003
【図２】
2010139472.tif 000004
【図３】
2010139472.tif 000005
【図４】
2010139472.tif 000006
【手続補正書】
【提出日】平成20年12月16日(2008.12.16)
【手続補正１】
【補正対象書類名】明細書
【補正対象項目名】００１１
【補正方法】変更
【補正の内容】
【００１１】
前記判定工程Ｄ２では、
照合判定用の画像処理装置においては、前記第１撮像手段で撮像した上側のナンバープレートの標示内容と、前記第２撮像手段で撮像した下側のナンバープレートの標示内容は、予めサーバに入力された生産データと照合され、同じ標示内容であるか否かを判定し、同じでない場合には不合格としてディスプレイの画面に表示し、同じである場合には、照合検査に合格としてディスプレイの画面に表示し、シーラーラベラーに合格情報を出力する。また、照合検査に合格した情報は納品データとしてサーバに蓄積される。
シーラーラベラーでは、前記合格情報に基づいてラベルデータを生成してバーコードやＱＲコードをラベルに印刷し、シール作業用の台に、合格した前記２枚１組、もしくは１枚のナンバープレートが収納された透明袋をセットして、シールスイッチを足で操作すると、前記袋の開口部が自動的にシールされるとともに、収納されたナンバープレートに対応したラベルが自動的に貼付される。ここでも、ディスプレイの画面に標示されたラベルデータと、収納されたナンバープレートの標示内容とを目視照合する。